(57)【特許請求の範囲】
【請求項１】
真空断熱材を適用する機器の条件を入力する機器条件入力手段と、
適用する真空断熱材の条件を入力する真空断熱材条件入力手段と、
真空断熱材の適用箇所を入力する適用箇所入力手段と、
計算に必要なデータを記憶したデータ記憶手段と、
前記機器条件入力手段により入力された機器の条件と前記真空断熱材条件入力手段により入力された真空断熱材の条件と前記適用箇所入力手段により入力された適用箇所とデータ記憶手段に記憶されたデータとに基づいて、真空断熱材を適用した場合に増えるコストと、真空断熱材を適用した場合の表面温度、熱負荷量、消費電力量の少なくとも一つを計算する演算手段と、
前記演算手段の計算結果を表示する表示手段とを備えた真空断熱材の適用効果予測装置。
【請求項２】
入力手段と表示手段とを備えたコンピューターのコンピュータープログラムであって、
真空断熱材を適用する機器の条件を前記入力手段を介して取り込む手順と、
適用する真空断熱材の条件を前記入力手段を介して取り込む手順と、
真空断熱材の適用箇所を前記入力手段を介して取り込む手順と、
取り込んだ機器の条件と取り込んだ真空断熱材の条件と取り込んだ適用箇所と予め用意された計算に必要なデータとに基づいて、真空断熱材を適用した場合に増えるコストと、真空断熱材を適用した場合の表面温度、熱負荷量、消費電力量の少なくとも一つを計算する手順と、
前記計算の結果を前記表示手段に表示する手順とをコンピューターに実行させることを特徴とするコンピュータープログラム。
【請求項３】
入力手段と表示手段とを備えたコンピューターのコンピュータープログラムを記録したコンピューター読み取り可能な記録媒体であって、
真空断熱材を適用する機器の条件を前記入力手段を介して取り込む手順と、
適用する真空断熱材の条件を前記入力手段を介して取り込む手順と、
真空断熱材の適用箇所を前記入力手段を介して取り込む手順と、
取り込んだ機器の条件と取り込んだ真空断熱材の条件と取り込んだ適用箇所と予め用意された計算に必要なデータとに基づいて、真空断熱材を適用した場合に増えるコストと、真空断熱材を適用した場合の表面温度、熱負荷量、消費電力量の少なくとも一つを計算する手順と、
前記計算の結果を前記表示手段に表示する手順とをコンピューターに実行させるコンピュータープログラムを記録したコンピューター読み取り可能な記録媒体。
【発明の詳細な説明】
【０００１】
【発明の属する技術分野】
本発明は、断熱材を使用する機器に真空断熱材を適用した場合の効果を予測する真空断熱材の適用効果予測装置と、その真空断熱材の適用効果予測装置をコンピューターで構成する場合のコンピュータープログラムと、そのコンピュータープログラムを記録したコンピューター読み取り可能な記録媒体に関するものである。
【０００２】
【従来の技術】
近年、断熱材を使用する機器、例えば冷蔵庫では、消費電力を低減する目的や、冷蔵庫を構成する断熱箱体の断熱壁の厚さを薄くし内容積を増加する目的で、断熱材に真空断熱材を適用することが検討されている。
【０００３】
真空断熱材は、連続気泡構造の硬質ウレタンフォームや、シリカ粉末や、シート状の無機繊維集合体などからなる芯材をガスバリアー性の外被材で被って外被材の内部を減圧し外被材の開口部を溶着してなるもので、冷蔵庫の外箱と内箱との間に充填する発泡断熱材として用いられる独立気泡構造の硬質ウレタンフォームの約４倍から約１０倍もの高い断熱性能を有している。
【０００４】
従来、冷蔵庫の断熱箱体に真空断熱材を適用する場合に、真空断熱材の適用条件の異なる幾通りかの冷蔵庫を試作して、各試作冷蔵庫の熱負荷量もしくは消費電力量を測定し、各試作冷蔵庫の中から、真空断熱材を適用した場合に増えるコストと熱負荷量もしくは消費電力量のバランスの良いものを選んで、それを商品化していた。
【０００５】
【発明が解決しようとする課題】
しかしながら、従来の、冷蔵庫の断熱箱体に適用する真空断熱材の仕様、寸法、適用箇所、適用枚数を、それぞれ決定する方法では、真空断熱材の適用条件の異なる幾通りかの冷蔵庫を試作して、各試作冷蔵庫の熱負荷量もしくは消費電力量を測定していたため、冷蔵庫の断熱箱体に適用する真空断熱材の仕様、寸法、適用箇所、適用枚数を、それぞれ決定するまでにかなりの時間と手間と費用を必要とし、冷蔵庫の試作のために冷蔵庫数台分の資源を使い、必要のなくなった試作冷蔵庫を有効利用することが困難であるという課題があった。
【０００６】
本発明は、上記課題に鑑み、真空断熱材の適用条件の異なる幾通りかの機器を試作することなく、真空断熱材の適用効果を簡便に予測することができる真空断熱材の適用効果予測装置と、その真空断熱材の適用効果予測装置をコンピューターで構成する場合のコンピュータープログラムと、そのコンピュータープログラムを記録したコンピューター読み取り可能な記録媒体を提供することを目的とする。
【０００７】
【課題を解決するための手段】
上記目的を達成するために本発明の請求項１記載の真空断熱材の適用効果予測装置の発明は、真空断熱材を適用する機器の条件を入力する機器条件入力手段と、適用する真空断熱材の条件を入力する真空断熱材条件入力手段と、真空断熱材の適用箇所を入力する適用箇所入力手段と、計算に必要なデータを記憶したデータ記憶手段と、前記機器条件入力手段により入力された機器の条件と前記真空断熱材条件入力手段により入力された真空断熱材の条件と前記適用箇所入力手段により入力された適用箇所とデータ記憶手段に記憶されたデータとに基づいて、真空断熱材を適用した場合に増えるコストと、真空断熱材を適用した場合の表面温度、熱負荷量、消費電力量の少なくとも一つを計算する演算手段と、前記演算手段の計算結果を表示する表示手段とを備えたものである。
【０００８】
請求項１記載の真空断熱材の適用効果予測装置は、利用者が、機器条件入力手段により真空断熱材を適用する機器の条件を入力し、真空断熱材条件入力手段により適用する真空断熱材の条件を入力し、適用箇所入力手段により真空断熱材の適用箇所を入力すると、これら入力された機器の条件、真空断熱材の条件、適用箇所と、データ記憶手段に記憶されたデータとに基づいて、演算手段が、真空断熱材を適用した場合に増えるコストと、真空断熱材を適用した場合の表面温度、熱負荷量、消費電力量の少なくとも一つを計算し、表示手段が演算手段の計算結果、すなわち、真空断熱材を適用した場合に増えるコストと、真空断熱材を適用した場合の表面温度、熱負荷量、消費電力量の少なくとも一つを表示する。
【０００９】
したがって、真空断熱材の適用条件の異なる幾通りかの機器を試作することなく、真空断熱材の適用効果を簡便に予測することができることとなる。
【００１０】
また、請求項２記載のコンピュータープログラムの発明は、入力手段と表示手段とを備えたコンピューターのコンピュータープログラムであって、真空断熱材を適用する機器の条件を前記入力手段を介して取り込む手順と、適用する真空断熱材の条件を前記入力手段を介して取り込む手順と、真空断熱材の適用箇所を前記入力手段を介して取り込む手順と、取り込んだ機器の条件と取り込んだ真空断熱材の条件と取り込んだ適用箇所と予め用意された計算に必要なデータとに基づいて、真空断熱材を適用した場合に増えるコストと、真空断熱材を適用した場合の表面温度、熱負荷量、消費電力量の少なくとも一つを計算する手順と、前記計算の結果を前記表示手段に表示する手順とをコンピューターに実行させるものである。
【００１１】
請求項２記載のコンピュータープログラムは、入力手段と表示手段とを備えたコンピューターに、真空断熱材を適用する機器の条件を前記入力手段を介して取り込む手順と、適用する真空断熱材の条件を前記入力手段を介して取り込む手順と、真空断熱材の適用箇所を前記入力手段を介して取り込む手順と、取り込んだ機器の条件と取り込んだ真空断熱材の条件と取り込んだ適用箇所と予め用意された計算に必要なデータとに基づいて、真空断熱材を適用した場合に増えるコストと、真空断熱材を適用した場合の表面温度、熱負荷量、消費電力量の少なくとも一つを計算する手順と、前記計算の結果を前記表示手段に表示する手順とを実行させることができる。
【００１２】
したがって、請求項２記載のコンピュータープログラムは、入力手段と表示手段とを備えたコンピューターを、請求項１記載の真空断熱材の適用効果予測装置として機能させることができるので、真空断熱材の適用条件の異なる幾通りかの機器を試作することなく、真空断熱材の適用効果を簡便に予測することができることとなる。
【００１３】
また、請求項３記載の記録媒体の発明は、入力手段と表示手段とを備えたコンピューターのコンピュータープログラムを記録したコンピューター読み取り可能な記録媒体であって、真空断熱材を適用する機器の条件を前記入力手段を介して取り込む手順と、適用する真空断熱材の条件を前記入力手段を介して取り込む手順と、真空断熱材の適用箇所を前記入力手段を介して取り込む手順と、取り込んだ機器の条件と取り込んだ真空断熱材の条件と取り込んだ適用箇所と予め用意された計算に必要なデータとに基づいて、真空断熱材を適用した場合に増えるコストと、真空断熱材を適用した場合の表面温度、熱負荷量、消費電力量の少なくとも一つを計算する手順と、前記計算の結果を前記表示手段に表示する手順とをコンピューターに実行させるコンピュータープログラムを記録したものである。
【００１４】
請求項３記載の記録媒体は、記録しているコンピュータープログラムを、入力手段と表示手段とを備えたコンピューターに読み取らせることにより、そのコンピューターに、真空断熱材を適用する機器の条件を前記入力手段を介して取り込む手順と、適用する真空断熱材の条件を前記入力手段を介して取り込む手順と、真空断熱材の適用箇所を前記入力手段を介して取り込む手順と、取り込んだ機器の条件と取り込んだ真空断熱材の条件と取り込んだ適用箇所と予め用意された計算に必要なデータとに基づいて、真空断熱材を適用した場合に増えるコストと、真空断熱材を適用した場合の表面温度、熱負荷量、消費電力量の少なくとも一つを計算する手順と、前記計算の結果を前記表示手段に表示する手順とを実行させることができる。
【００１５】
したがって、請求項３記載の記録媒体は、記録しているコンピュータープログラムを、入力手段と表示手段とを備えたコンピューターに読み取らせることにより、そのコンピューターを、請求項１記載の真空断熱材の適用効果予測装置として機能させることができるので、真空断熱材の適用条件の異なる幾通りかの機器を試作することなく、真空断熱材の適用効果を簡便に予測することができることとなる。
【００１６】
【発明の実施の形態】
以下、本発明の真空断熱材の適用効果予測装置とコンピュータープログラムと記録媒体の一実施の形態について図面を参照しながら説明する。
【００１７】
図１は、本発明の一実施の形態による真空断熱材の適用効果予測装置の構成を示すブロック図である。図２は、同実施の形態の真空断熱材の適用効果予測装置を構成するコンピューターの概略外観図である。図３は、コンピューターを同実施の形態の真空断熱材の適用効果予測装置として機能させるコンピュータープログラムのプログラムコードの内容を示す模式図である。図４は、同実施の形態の真空断熱材の適用効果予測装置の制御を示すフローチャートである。
【００１８】
本実施の形態の真空断熱材の適用効果予測装置は、図１と図２に示すように、機器条件入力手段１と、真空断熱材条件入力手段２と、適用箇所入力手段３と、データ記憶手段４と、演算手段５と、表示手段６とからなり、機器条件入力手段１、真空断熱材条件入力手段２、適用箇所入力手段３を構成する入力手段としてのキーボード７ａ、マウス７ｂと、表示手段６を構成する液晶ディスプレイ７ｃとを備えたパーソナルコンピューター７に、コンピューター７で読み取り可能な（挿入口７ｄからコンピューター７内に挿入可能な）記録媒体、例えばＣＤ−ＲＯＭ８に記録しているコンピュータープログラムを読み取らせることにより、そのパーソナルコンピューター７が真空断熱材の適用効果予測装置として機能する。
【００１９】
ここで、機器条件入力手段１は、真空断熱材を適用する機器の条件、例えば、冷蔵庫、電気湯沸かし保温機器などの保温保冷機器の製品の種類、製品のタイプ（冷蔵庫であれば、ドアの数、貯蔵室の数、貯蔵室の配置など）、寸法、その他（冷蔵庫であれば、各貯蔵室の設定温度、外気温度など）を入力するためのものであり、液晶ディスプレイ７ｃに表示される画面表示の案内に従って、キーボード７ａとマウス７ｂとを使って、液晶ディスプレイ７ｃに表示される入力部分において、文字または数字の入力や、予め用意された選択肢の中から選択を行う。
【００２０】
また、真空断熱材条件入力手段２は、適用する真空断熱材の条件、例えば、芯材や外被材の条件、寸法、形状を入力するためのものであり、液晶ディスプレイ７ｃに表示される画面表示の案内に従って、キーボード７ａとマウス７ｂとを使って、液晶ディスプレイ７ｃに表示される入力部分において、文字または数字の入力や、予め用意された選択肢の中から選択を行う。
【００２１】
また、適用箇所入力手段３は、真空断熱材の適用箇所、例えば、天面、底面、左右側面、背面、ドア、仕切板と、その位置を入力するためのものであり、液晶ディスプレイ７ｃに表示される画面表示の案内に従って、キーボード７ａとマウス７ｂとを使って、液晶ディスプレイ７ｃに表示される入力部分において、予め用意された選択肢の中から選択を行い、また、液晶ディスプレイ７ｃに表示される適用機器の図面上で真空断熱材を移動、拡大、縮小させて真空断熱材の位置、大きさを決める。
【００２２】
また、データ記憶手段４は、ＣＤ−ＲＯＭ（コンピューター７で読み取り可能な記録媒体）８またはコンピューター７内のハードディスクなどのメモリ（図示せず）、またはＬＡＮやＷｅｂを介して接続されるデータサーバ内のメモリで構成され、計算に必要なデータ、例えば、特性値、計算式、適用可能な機器に関するデータを記憶しており、演算手段５が計算をするときに、その都度、計算に必要なデータが演算手段５により読み出される。
【００２３】
また、演算手段５は、コンピューター７内の演算装置（図示せず）で構成され、機器条件入力手段１により入力された機器の条件と真空断熱材条件入力手段２により入力された真空断熱材の条件と適用箇所入力手段３により入力された適用箇所とデータ記憶手段４に記憶されたデータとに基づいて、真空断熱材の適用面積・体積と真空断熱材を適用した場合に増えるコストと、真空断熱材を適用した場合の熱負荷量（冷却負荷量）、表面温度、消費電力量、内容積とを計算し、それらの計算結果を表示手段６としての液晶ディスプレイ７ｃに表示させる。
【００２４】
また、ＣＤ−ＲＯＭ８には、図３に示すように、真空断熱材を適用する機器の条件を入力手段（キーボード７ａとマウス７ｂ）を介して取り込むプログラムコードＰＣ１１と、適用する真空断熱材の条件を入力手段（キーボード７ａとマウス７ｂ）を介して取り込むプログラムコードＰＣ１２と、真空断熱材の適用箇所を入力手段（キーボード７ａとマウス７ｂ）を介して取り込むプログラムコードＰＣ１３と、取り込んだ機器の条件と取り込んだ真空断熱材の条件と取り込んだ適用箇所と予め用意された（データ記憶手段４に記憶された）計算に必要なデータとに基づいて、真空断熱材の適用面積・体積と真空断熱材を適用した場合に増えるコストと、真空断熱材を適用した場合の熱負荷量（冷却負荷量）、表面温度、消費電力量、内容積を計算するプログラムコードＰＣ１４と、計算の結果を表示手段６としての液晶ディスプレイ７ｃに表示するプログラムコードＰＣ１５とが記録されている。
【００２５】
本実施の形態では、コンピュータープログラムを記録したコンピューター７で読み取り可能な記録媒体としてＣＤ−ＲＯＭ８を使用しているが、これに限らず、コンピューター７で直接または間接的に読み取り可能な記録媒体であれば、ＤＶＤなどの他の光記録媒体、光磁気記録媒体、フロッピィーディスクなどの磁気記録媒体、メモリカードなどの半導体記録媒体でも構わない。
【００２６】
次に、図４のフローチャートを参照しながら、本実施の形態の真空断熱材の適用効果予測装置の演算手段５の制御を説明する。
【００２７】
まず、コンピューター７を起動させ、ＣＤ−ＲＯＭ（記録媒体）８を挿入口７ｄからコンピューター７内に挿入し、ＣＤ−ＲＯＭ（記録媒体）８内のプログラムを実行する。
【００２８】
なお、ＣＤ−ＲＯＭ（記録媒体）８内のプログラムを予めコンピューター７内のハードディスクに記憶させておき、ハードディスクに記憶させたプログラムを実行させても構わない。
【００２９】
まず、液晶ディスプレイ７ｃに表示される画面表示の案内に従って、キーボード７ａとマウス７ｂを使って、真空断熱材を適用する機器の条件を入力可能な状態にして、液晶ディスプレイ７ｃに表示される入力部分において、文字または数字の入力や、予め用意された選択肢の中から選択を行うことにより、真空断熱材を適用する機器の条件、例えば、冷蔵庫、電気湯沸かし保温機器などの保温保冷機器の製品の種類、製品のタイプ（冷蔵庫であれば、ドアの数、貯蔵室の数、貯蔵室の配置など）、寸法、その他（冷蔵庫であれば、各貯蔵室の設定温度、外気温度など）を入力する（このとき、入力した機器の条件に基づいて、液晶ディスプレイ７ｃに適用機器の図面が表示される）と、真空断熱材を適用する機器の条件が入力されたことを検知して（ＳＴＥＰ１をＹ側に分岐してＳＴＥＰ２に進み）、その入力された、真空断熱材を適用する機器の条件を、コンピューター７の演算手段５内のメモリに記憶する（ＳＴＥＰ２の後、ＳＴＥＰ１に戻る）。
【００３０】
なお、本実施の形態では、真空断熱材を適用する機器の条件の入力項目が複数あり、各入力項目に新規入力または変更の入力がある度に、これを検知して（ＳＴＥＰ１をＹ側に分岐してＳＴＥＰ２に進み）、各入力項目の内容をコンピューター７の演算手段５内のメモリに記憶する（ＳＴＥＰ２の後、ＳＴＥＰ１に戻る）ものとする。
【００３１】
例えば、真空断熱材を適用する機器の条件の入力項目が４つあり、順番に４つの入力項目を入力していく場合は、ＳＴＥＰ１をＹ側に分岐してＳＴＥＰ２に進み、ＳＴＥＰ２の後、ＳＴＥＰ１に戻るループを４回繰り返す。
【００３２】
そして、再びＳＴＥＰ１に戻ってきた時は、演算手段５内のメモリに記憶されている機器の条件の各データと、現時点で入力済みの機器の条件の各データとを比較して、新規入力または変更があるかどうかを判定し、新規入力または変更があると判定した場合は、ＳＴＥＰ１をＹ側に分岐してＳＴＥＰ２に進み、新規入力または変更がないと判定した場合は、ＳＴＥＰ１をＮ側に分岐してＳＴＥＰ３に進む。
【００３３】
そして、真空断熱材を適用する機器の条件が全て入力される（ただし、適用する真空断熱材の条件の入力または真空断熱材の適用箇所の入力が不足している）と（ＳＴＥＰ１、ＳＴＥＰ３、ＳＴＥＰ５をＮ側に分岐してＳＴＥＰ７をＹ側に分岐してＳＴＥＰ８をＮ側に分岐しＳＴＥＰ９に進み）、機器条件入力手段１により入力された機器の条件とデータ記憶手段４に記憶されたデータとに基づいて、真空断熱材を適用する前の熱負荷量（冷却負荷量）と、表面温度と、真空断熱材を適用する前の消費電力量と、内容積とを計算し、次のＳＴＥＰ１０で、それらの計算結果（熱負荷量、表面温度、消費電力量、内容積）を表示手段６としての液晶ディスプレイ７ｃに表示させる（ＳＴＥＰ１０の後、ＳＴＥＰ１に戻る）。
【００３４】
次に、液晶ディスプレイ７ｃに表示される画面表示の案内に従って、キーボード７ａとマウス７ｂを使って、適用する真空断熱材の条件を入力可能な状態にして、液晶ディスプレイ７ｃに表示される入力部分において、文字または数字の入力や、予め用意された選択肢の中から選択を行うことにより、適用する真空断熱材の条件、例えば、芯材や外被材の条件（Ａ仕様、Ｂ仕様、Ｃ仕様）、寸法、形状を入力すると、適用する真空断熱材の条件が入力されたことを検知して（ＳＴＥＰ１をＮ側に分岐後ＳＴＥＰ３をＹ側に分岐してＳＴＥＰ４に進み）、その入力された、適用する真空断熱材の条件を、コンピューター７の演算手段５内のメモリに記憶する（ＳＴＥＰ４の後、ＳＴＥＰ１に戻る）。
【００３５】
なお、本実施の形態では、適用する真空断熱材の条件の入力項目が複数あり、各入力項目に新規入力または変更の入力がある度に、これを検知して（ＳＴＥＰ１をＮ側に分岐後ＳＴＥＰ３をＹ側に分岐してＳＴＥＰ４に進み）、各入力項目の内容をコンピューター７の演算手段５内のメモリに記憶する（ＳＴＥＰ４の後、ＳＴＥＰ１に戻る）ものとする。
【００３６】
例えば、適用する真空断熱材の条件の入力項目が３つあり、順番に３つの入力項目を入力していく場合は、ＳＴＥＰ１をＮ側に分岐後ＳＴＥＰ３をＹ側に分岐してＳＴＥＰ４に進み、ＳＴＥＰ４の後、ＳＴＥＰ１に戻るループを３回繰り返す。
【００３７】
そして、再びＳＴＥＰ３に戻ってきた時は、演算手段５内のメモリに記憶されている真空断熱材の条件の各データと、現時点で入力済みの真空断熱材の条件の各データとを比較して、新規入力または変更があるかどうかを判定し、新規入力または変更があると判定した場合は、ＳＴＥＰ３をＹ側に分岐してＳＴＥＰ４に進み、新規入力または変更がないと判定した場合は、ＳＴＥＰ３をＮ側に分岐してＳＴＥＰ５に進む。
【００３８】
次に、液晶ディスプレイ７ｃに表示される画面表示の案内に従って、キーボード７ａとマウス７ｂを使って、真空断熱材の適用箇所を入力可能な状態にして、液晶ディスプレイ７ｃに表示される入力部分において、予め用意された選択肢の中から真空断熱材を設置する面の選択を行い、また、液晶ディスプレイ７ｃに表示される適用機器の図面上で真空断熱材を移動、拡大、縮小させて真空断熱材の位置、大きさを確定すると、真空断熱材の適用箇所が入力されたことを検知して（ＳＴＥＰ１、ＳＴＥＰ３をそれぞれＮ側に分岐後ＳＴＥＰ５をＹ側に分岐してＳＴＥＰ６に進み）、その入力された、真空断熱材の適用箇所をコンピューター７の演算手段５内のメモリに記憶する（ＳＴＥＰ６の後、ＳＴＥＰ１に戻る）。
【００３９】
なお、本実施の形態では、真空断熱材の適用箇所の入力項目が複数あり、各入力項目に新規入力または変更の入力がある度に、これを検知して（ＳＴＥＰ１、ＳＴＥＰ３をＮ側に分岐後ＳＴＥＰ５をＹ側に分岐してＳＴＥＰ６に進み）、各入力項目の内容をコンピューター７の演算手段５内のメモリに記憶する（ＳＴＥＰ６の後、ＳＴＥＰ１に戻る）ものとする。
【００４０】
例えば、真空断熱材の適用箇所の入力項目が３つあり、順番に３つの入力項目を入力していく場合は、ＳＴＥＰ１、ＳＴＥＰ３をＮ側に分岐後ＳＴＥＰ５をＹ側に分岐してＳＴＥＰ６に進み、ＳＴＥＰ６の後、ＳＴＥＰ１に戻るループを３回繰り返す。
【００４１】
そして、再びＳＴＥＰ５に戻ってきた時は、演算手段５内のメモリに記憶されている真空断熱材の適用箇所の各データと、現時点で入力済みの真空断熱材の適用箇所の各データとを比較して、新規入力または変更があるかどうかを判定し、新規入力または変更があると判定した場合は、ＳＴＥＰ５をＹ側に分岐してＳＴＥＰ６に進み、新規入力または変更がないと判定した場合は、ＳＴＥＰ５をＮ側に分岐してＳＴＥＰ７に進む。
【００４２】
そして、コンピューター７の演算手段５内のメモリに、真空断熱材を適用する機器の条件と、適用する真空断熱材の条件と、真空断熱材の適用箇所とが全て記憶されたことを検知すると（ＳＴＥＰ１、ＳＴＥＰ３、ＳＴＥＰ５をそれぞれＮ側に分岐後、ＳＴＥＰ７をＹ側に分岐してＳＴＥＰ８をＹ側に分岐してＳＴＥＰ１１に進み）、機器条件入力手段１により入力された機器の条件と真空断熱材条件入力手段２により入力された真空断熱材の条件と適用箇所入力手段３により入力された適用箇所とデータ記憶手段４に記憶されたデータとに基づいて、真空断熱材の適用面積・体積と真空断熱材を適用した場合に増えるコスト増加額と、真空断熱材を適用した場合の熱負荷量（冷却負荷量）、表面温度、消費電力量、内容積とを計算し（ＳＴＥＰ１１の後、ＳＴＥＰ１２に進み）、それらの計算結果（真空断熱材の適用面積・体積、コスト増加額、熱負荷量（冷却負荷量）、表面温度、消費電力量、内容積）を表示手段６としての液晶ディスプレイ７ｃに表示させる（ＳＴＥＰ１２の後、ＳＴＥＰ１に戻る）。
【００４３】
ここで、表示手段６としての液晶ディスプレイ７ｃに表示された、真空断熱材の適用面積・体積、コスト増加額、熱負荷量（冷却負荷量）、表面温度、消費電力量、内容積の結果に不満であれば（条件を変えて再試行したければ）、機器条件入力手段１により入力した機器の条件、または、真空断熱材条件入力手段２により入力した真空断熱材の条件、または、適用箇所入力手段３により入力した適用箇所、のいずれかのみを再入力により修正することができ、その場合は、その修正された条件で、真空断熱材の適用面積・体積、コスト増加額、熱負荷量（冷却負荷量）、表面温度、消費電力量、内容積が、再計算されて、その再計算結果が表示手段６としての液晶ディスプレイ７ｃに表示される。
【００４４】
以上のように本実施の形態の真空断熱材の適用効果予測装置は、真空断熱材を適用する機器の条件を入力する機器条件入力手段１と、適用する真空断熱材の条件を入力する真空断熱材条件入力手段２と、真空断熱材の適用箇所を入力する適用箇所入力手段３と、計算に必要なデータを記憶したデータ記憶手段４と、機器条件入力手段１により入力された機器の条件と真空断熱材条件入力手段２により入力された真空断熱材の条件と適用箇所入力手段３により入力された適用箇所とデータ記憶手段４に記憶されたデータとに基づいて、真空断熱材の適用面積・体積と真空断熱材を適用した場合に増えるコストと、真空断熱材を適用した場合の熱負荷量（冷却負荷量）、表面温度、消費電力量、内容積とを計算する演算手段５と、演算手段５の計算結果を表示する表示手段６とを備えたものである。
【００４５】
そして、利用者が、機器条件入力手段１により真空断熱材を適用する機器の条件を入力し、真空断熱材条件入力手段２により適用する真空断熱材の条件を入力し、適用箇所入力手段３により真空断熱材の適用箇所を入力すると、これら入力された機器の条件、真空断熱材の条件、適用箇所と、データ記憶手段４に記憶されたデータとに基づいて、演算手段５が、真空断熱材の適用面積・体積と真空断熱材を適用した場合に増えるコストと、真空断熱材を適用した場合の熱負荷量（冷却負荷量）、表面温度、消費電力量、内容積とを計算し、表示手段６が演算手段５の計算結果、すなわち、真空断熱材の適用面積・体積と真空断熱材を適用した場合に増えるコストと、真空断熱材を適用した場合の熱負荷量（冷却負荷量）、表面温度、消費電力量、内容積とを表示する。
【００４６】
したがって、真空断熱材の適用条件の異なる幾通りかの機器を試作することなく、真空断熱材の適用効果を簡便に予測することができるという効果がある。
【００４７】
また、本実施の形態のコンピュータープログラムは、入力手段（キーボード７ａとマウス７ｂ）と表示手段６（液晶ディスプレイ７ｃ）とを備えたコンピューター７のコンピュータープログラムであって、真空断熱材を適用する機器の条件を入力手段（キーボード７ａとマウス７ｂ）を介して取り込む手順と、適用する真空断熱材の条件を入力手段（キーボード７ａとマウス７ｂ）を介して取り込む手順と、真空断熱材の適用箇所を入力手段（キーボード７ａとマウス７ｂ）を介して取り込む手順と、取り込んだ機器の条件と取り込んだ真空断熱材の条件と取り込んだ適用箇所と予め用意された計算に必要なデータとに基づいて、真空断熱材の適用面積・体積と真空断熱材を適用した場合に増えるコストと、真空断熱材を適用した場合の熱負荷量（冷却負荷量）、表面温度、消費電力量、内容積とを計算する手順と、この計算の結果を表示手段６（液晶ディスプレイ７ｃ）に表示する手順とをコンピューター７に実行させるものである。
【００４８】
したがって、本実施の形態のコンピュータープログラムは、入力手段（キーボード７ａとマウス７ｂ）と表示手段６（液晶ディスプレイ７ｃ）とを備えたコンピューター７を、真空断熱材の適用効果予測装置として機能させることができるので、真空断熱材の適用条件の異なる幾通りかの機器を試作することなく、真空断熱材の適用効果を簡便に予測することができるという効果がある。
【００４９】
また、本実施の形態のＣＤ−ＲＯＭ（記録媒体）８は、記録しているコンピュータープログラムを、入力手段（キーボード７ａとマウス７ｂ）と表示手段６（液晶ディスプレイ７ｃ）とを備えたコンピューター７に読み取らせることにより、そのコンピューター７を、真空断熱材の適用効果予測装置として機能させることができるので、真空断熱材の適用条件の異なる幾通りかの機器を試作することなく、真空断熱材の適用効果を簡便に予測することができるという効果がある。
【００５０】
なお、本実施の形態では、真空断熱材の適用面積・体積、表面温度、内容積を表示させているが、真空断熱材の適用面積・体積、表面温度、内容積の表示は必ずしも必要なものではない。また、熱負荷量（冷却負荷量）と消費電力量の両方を表示させているが、どちらか一方でも構わない。また、真空断熱材を適用する前の熱負荷量（冷却負荷量）と表面温度と消費電力量とを、真空断熱材を適用した場合の熱負荷量（冷却負荷量）と表面温度と消費電力量と一緒に表示させても構わない。また、真空断熱材の適用面積の割合を示す被覆率を、別に、もしくは、真空断熱材の適用面積の代わりに計算・表示させても構わない。
【００５１】
また、本実施の形態では、真空断熱材の適用効果を熱負荷量と消費電力量と内容積で確認しているが、真空断熱材を適用する機器に応じて、真空断熱材の適用効果を別の数値で表示するようにしても構わない。
【００５２】
【発明の効果】
以上説明したように本発明の請求項１記載の真空断熱材の適用効果予測装置は、真空断熱材を適用する機器の条件を入力する機器条件入力手段と、適用する真空断熱材の条件を入力する真空断熱材条件入力手段と、真空断熱材の適用箇所を入力する適用箇所入力手段と、計算に必要なデータを記憶したデータ記憶手段と、前記機器条件入力手段により入力された機器の条件と前記真空断熱材条件入力手段により入力された真空断熱材の条件と前記適用箇所入力手段により入力された適用箇所とデータ記憶手段に記憶されたデータとに基づいて、真空断熱材を適用した場合に増えるコストと、真空断熱材を適用した場合の表面温度、熱負荷量、消費電力量の少なくとも一つとを計算する演算手段と、前記演算手段の計算結果を表示する表示手段とを備えたことにより、真空断熱材の適用条件の異なる幾通りかの機器を試作することなく、真空断熱材の適用効果を簡便に予測することができるという効果がある。
【００５３】
また、請求項２記載のコンピュータープログラムは、入力手段と表示手段とを備えたコンピューターのコンピュータープログラムであって、真空断熱材を適用する機器の条件を前記入力手段を介して取り込む手順と、適用する真空断熱材の条件を前記入力手段を介して取り込む手順と、真空断熱材の適用箇所を前記入力手段を介して取り込む手順と、取り込んだ機器の条件と取り込んだ真空断熱材の条件と取り込んだ適用箇所と予め用意された計算に必要なデータとに基づいて、真空断熱材を適用した場合に増えるコストと、真空断熱材を適用した場合の表面温度、熱負荷量、消費電力量の少なくとも一つとを計算する手順と、前記計算の結果を前記表示手段に表示する手順とをコンピューターに実行させるものであり、入力手段と表示手段とを備えたコンピューターを、請求項１記載の真空断熱材の適用効果予測装置として機能させることができるので、真空断熱材の適用条件の異なる幾通りかの機器を試作することなく、真空断熱材の適用効果を簡便に予測することができるという効果がある。
【００５４】
また、請求項３記載の記録媒体は、入力手段と表示手段とを備えたコンピューターのコンピュータープログラムを記録したコンピューター読み取り可能な記録媒体であって、真空断熱材を適用する機器の条件を前記入力手段を介して取り込む手順と、適用する真空断熱材の条件を前記入力手段を介して取り込む手順と、真空断熱材の適用箇所を前記入力手段を介して取り込む手順と、取り込んだ機器の条件と取り込んだ真空断熱材の条件と取り込んだ適用箇所と予め用意された計算に必要なデータとに基づいて、真空断熱材を適用した場合に増えるコストと、真空断熱材を適用した場合の表面温度、熱負荷量、消費電力量の少なくとも一つとを計算する手順と、前記計算の結果を前記表示手段に表示する手順とをコンピューターに実行させるコンピュータープログラムを記録したものであり、記録しているコンピュータープログラムを、入力手段と表示手段とを備えたコンピューターに読み取らせることにより、そのコンピューターを、請求項１記載の真空断熱材の適用効果予測装置として機能させることができるので、真空断熱材の適用条件の異なる幾通りかの機器を試作することなく、真空断熱材の適用効果を簡便に予測することができるという効果がある。
【図面の簡単な説明】
【図１】本発明の一実施の形態による真空断熱材の適用効果予測装置の構成を示すブロック図
【図２】同実施の形態の真空断熱材の適用効果予測装置を構成するコンピューターの概略外観図
【図３】コンピューターを同実施の形態の真空断熱材の適用効果予測装置として機能させるコンピュータープログラムのプログラムコードの内容を示す模式図
【図４】同実施の形態の真空断熱材の適用効果予測装置の制御を示すフローチャート
【符号の説明】
１    機器条件入力手段
２    真空断熱材条件入力手段
３    適用箇所入力手段
４    データ記憶手段
５    演算手段
６    表示手段
７    コンピューター
７ａ  キーボード
７ｂ  マウス
７ｃ  液晶ディスプレイ
８    ＣＤ−ＲＯＭ
【図１】
0003686635.tif 000002
【図２】
0003686635.tif 000003
【図３】
0003686635.tif 000004
【図４】
0003686635.tif 000005